(57)【要約】      （修正有）【課題】より簡便に安定化ディスクを製造することができるカウンターピースを提供する。【解決手段】カウンターピース５０は、管楽器のトーンホール６１を閉口するためにキーカップ４０内に入れられたパッドアセンブリを安定させるために設置される安定化ディスク２０の成形過程においてトーンホール６１の中に設置されるカウンターピース５０であり、円形の部分５１と、ストッパー７０を備える。【選択図】図９
0003203951.tif 000002
【実用新案登録請求の範囲】
【請求項１】
管楽器のトーンホール（６１）を閉口するためにキーカップ（４０）内に入れられたパッドアセンブリ（３０）を安定させるために設置される安定化ディスク（２０）の成形過程において前記トーンホール（６１）の中に設置されるカウンターピース（５０）であり、少なくとも一つの円形の部分（５１）と、ストッパー（７０）とを備えるカウンターピース（５０）。
【請求項２】
前記第一の円形部分（５１）と同心状に配置されて前記第一の円形部分（５１）よりも直径が小さい第二の円形の部分（５２）とを備えた請求項１記載のカウンターピース（５０）。
【請求項３】
管楽器のトーンホール（６１）を閉口するためにキーカップ（４０）内に入れられたパッドアセンブリ（３０）を安定させるために設置される安定化ディスク（２０）の成形過程において前記トーンホール（６１）の中に設置されるカウンターピース（５０）であり、第一の円形の部分（５１）と、当該第一の円形部分（５１）と同心状に配置されて前記第一の円形部分（５１）よりも直径が小さい第二の円形の部分（５２）とを備え、前記第一の円形の部分（５１）の直径は、前記トーンホール（６１）の直径より大きく、前記キーカップ（４０）の内径より小さく、前記第二の円形の部分（５２）の直径は、前記トーンホール（６１）に完全に挿入されるように前記トーンホール（６１）の内径よりも小さい請求項１又は２に記載のカウンターピース（５０）。
【請求項４】
ストッパー（７０）が筒状である、請求項１乃至３の何れか一項に記載のカウンターピース（５０）。
【請求項５】
ストッパー（７０）がネジ状である、請求項１乃至４の何れか一項に記載のカウンターピース（５０）。
【考案の詳細な説明】
【技術分野】
【０００１】
本発明は、管楽器のトーンホールを閉じるためにキーカップ内に入れられたパッドアセンブリを安定させるためのディスクの製造過程において使用される特定のカウンターピース（相対部品）（counter piece）に関するものである。
【背景技術】
【０００２】
金管楽器や木管楽器、特にフルートのような管楽器においては、奏者が指で複数のトーンホールを開閉することによって、異なる音を奏することができる。一般に、奏者は、楽器のキーメカニズムやキーワークの施された複数のキーに指を置き、それにより奏者の指による直接または間接（レバー方式）操作で、複数のトーンホール上にそれぞれの複数のキーカップを置くことができる。
【０００３】
管楽器の音質は、キーカップによるトーンホールの閉口の精密性に大きく依存する。そのカップがトーンホールを気密に閉口して、楽器本体とカップが単一の均一な音響体のように共に共鳴するのが理想的である。キーカップがトーンホールに精密にぴったりと合っていない場合、演奏中に閉じたトーンホールから空気の一部が漏れ、望ましくないある種のホイスリングサウンド（whistling sound）が発生する。カップをトーンホールに気密にぴったりと合わせるために、カップには通常、樹脂フィルム又はある種の動物の皮で覆われたフェルトからなるパッドアセンブリが取り付けられている。
【０００４】
キーカップ内のパッドアセンブリをより良く支えるために、カップ内側の底面とパッドアセンブリの間に安定化ディスクを入れることも知られている。一般に、安定化ディスクは射出成形等により形成された合成樹脂材料で出来ている。このような安定化ディスクあるいは裏張りディスク（backing disk）はカップ内のパッドアセンブリの据え付けを改善し、管楽器が長期間使用される場合においてさえ、キーカップによるトーンホールの合理的に気密な閉口を達成できる。
【０００５】
しかしながら、カップ内側の底面は大抵の場合表面が平坦ではないことから問題が生じる。つまり、内側の底面には、その中心点に対して回転対称性を有さないという意味の不均質性がある。こうした非平坦性あるいは不均質性は、そもそもカップの機械加工又は作業過程が不完全であることに起因していたり、あるいは楽器を使用しているうちに生じる一般的な摩耗挙動により生じることもある。内側の底面に平坦ではない表面があると、カップ内の安定化ディスクやパッドアセンブリの動きに片寄りを生じさせる。その結果、カップはトーンホールを気密に閉口できなくなる。
【０００６】
この問題に対し、トーンホール上に置かれたパッドアセンブリをより強く押すことで解決しようとする試みもできるが、それでは、奏者がキーメカニズムによりカップを閉めるためより強い押す力を加えることにより、また、パッドアセンブリの縁に沿って不均一な負荷あるいは圧力がかかることにより更なる問題が生じてしまう。
【０００７】
カップ内側の底面の非平坦表面構造を補正するために、管楽器修理の専門家らは、カップ底面の非平坦表面の凹み部分の向かい側にあたるパッドアセンブリの縁部に、ボール紙材等からなる薄い詰め物を入れる方法を開発した。それにより非平坦性は修正できて楽器の音質を回復することができる。しかしながら、こうした修理作業は非常に複雑で難しく、時間がかかる上に、高度な技能と専門的知識を必要とする。それゆえ、カップ内側の底面の非平坦性を補正する方法として、より容易で効率の良い方法を見つけることが望ましい。
【０００８】
キーカップによるトーンホールの閉口をそこなうもう一つのよくある問題としては、キーメカニズムあるいはキーワークが、キーカップがトーンホールに対し完全に水平方向に当たる、つまりカップ内のパッドアセンブリがトーンホールの外縁に対し完全に平行になる方向になるように精密には作動しないということがあげられる。パッドアセンブリがトーンホールの外縁部分に当たる際わずかに傾斜角がついてしまう可能性が高く、それはトーンホールが回転非対称的に閉じられてしまうことと、演奏中にパッドアセンブリを押し付ける力が均一でなくなってしまうことを意味する。こうした傾斜角は、楽器の長期使用の結果生じたり、あるいは製造工程における不完全な組み立てにより元々存在している場合もある。
【０００９】
上述の傾斜角の結果として、例えカップ内側の底面の構造の不均質性（非平坦性）を完全に補正するような安定化ディスクであったとしても、パッドアセンブリがトーンホールを閉じる角度は完全に水平にはならないであろう。その際パッドアセンブリは、カップに対しては水平な形で完璧に設置されていても、キーカップが蝶番でキーワークと繋がる機構が十分に精密ではないために、管楽器の使用中にトーンホールに対し斜めに当たってしまうであろう。
【００１０】
また、上述の問題の結果として、奏者が楽器から発する音の質が悪くなったり、金属質すぎる響きになったり、音量が十分に得られなくなったりする。
【００１１】
これらの課題を解決するために管楽器のトーンホールの閉口のためのキーカップ内に入れられたパッドアセンブリを安定させるためのディスクであり、室温で固体状態にあり、それより高い所定の温度（predetermined higher temperature）において柔軟な状態（malleable state）になる材料からなる一つの統合体であることを特徴とするディスクが開示されている（特許文献１）。また、特許文献１には同様に、管楽器のトーンホールを閉口するためにキーカップ内に入れられたパッドアセンブリを安定させるために設置される安定化ディスクの成形過程において前記トーンホールの中に設置されるカウンターピースであり、第一の円形の部分と、前記第一の部分と同心状に配置されて前記第一の部分よりも直径が小さい第二の円形の部分とを備えたカウンターピースが開示されている。
【００１２】
特許文献１の好ましい実施形態の一つによる安定化ディスクの製造方法は、前駆体ディスク（precursor disk）をカップに入れ、前駆体ディスクの上面がカップの内側の非平坦底面の上に置かれるようにする。（ブンゼンバーナーあるいはその他の適用可能な加熱手段を用いて）カップを約７０℃から８０℃の温度に、又はディスク材料が柔軟な状態に達する温度に熱することによって、前駆体ディスクは柔軟な状態に達し、前駆体ディスクの少なくとも一方の側から、好ましくは前駆体ディスクの、カップ底面に面していない方の側から（すなわち下面から）、前駆体ディスクに所定の圧力を加え、カップ内の底面の形状にぴったり合うように成形する。成形過程において前駆体ディスクに対して加えられる所定の圧力は、前駆体ディスクを、上面がカップの内側の非平坦底面と相補関係にあるような形状になるような安定化ディスクへと変形させるのに十分な力である。さらに特許文献１によれば、成形過程で加えられる所定の圧力は、特別に構成されたカウンターピースを通じて与え得る。
【００１３】
しかしながら、この安定化ディスクを製造する過程で使用されるカウンターピースに所定の圧力を加えて前駆体ディスクを成形する場合、適切な厚みの安定化ディスクを製造するためには、作業者の感覚でカウンターピースに圧力を加えなければならず、例えば、カウンターピースに圧力を加え過ぎた結果、安定化ディスクが所望の厚みよりも薄くなってしまうことや、又は加える圧力が足りず、安定化ディスクが所望する厚みよりも厚くなってしまう場合があった。
【先行技術文献】
【特許文献】
【００１４】
【特許文献１】特表２０１５−５１１３３３
【考案の概要】
【考案が解決しようとする課題】
【００１５】
本考案は、上記課題を解決するものであり、より簡便に安定化ディスク（２０）を製造することができるカウンターピース（５０）を供給することを目的とする。
【課題を解決するための手段】
【００１６】
上記課題を解決するために、本考案に係るカウンターピース（５０）は、管楽器のトーンホール（６１）を閉口するためにキーカップ（４０）内に入れられたパッドアセンブリ（３０）を安定させるために設置される安定化ディスク（２０）の成形過程において前記トーンホール（６１）の中に設置されるカウンターピース（５０）であり、少なくとも一つの円形の部分（５１）と、ストッパー（７０）を備える。
【００１７】
安定化ディスク（２０）は室温では固体状態でかつそれより高い所定の温度では柔軟な状態になる材料、例えば、ハードワックス材料（hard wax material）などから作られる。ハードワックス材料とは、室温で固体、望ましくは硬質であり、昇温すると溶融状態もしくは軟化状態である、もしくは可塑性あるいは弾性をもつようになるワックスまたは蝋質の材料であると定義される。本発明で使用されるハードワックス材料は、室温で固体、好ましくは硬質で、それより高い所定の温度では柔軟な状態になる限りにおいて、石油由来のワックス、その他の合成ワックス、天然ワックス又はその改質ワックス等の材料から選ぶことができる。
【００１８】
ここで言う「固体状態」とは、材料が物理的に固体状態、好ましくは硬質（rigid）であることを意味する。ここで言う「柔軟な状態（malleable state）」とは、物理的状態が溶融状態または軟化した状態あるいは可塑性で柔軟性を有する状態のことを意味する。ここで言う「統合体（integral body）」とは、構造的に単一体からなる物体、好ましくは物体全体にわたって均質の物理的もしくは化学的組成を有する物体を意味する。「それより高い所定の温度（predetermined higher temperature）」とは、材料が固体状態から溶融状態または軟化した状態になる、あるいは可塑性で柔軟性を有する状態になる温度を意味する。
【００１９】
また上記の安定化ディスクの特許文献１に記載の目的は、管楽器のトーンホール（６１）を閉口するためのキーカップ（４０）内のパッドアセンブリ（３０）を安定化するためのディスク（２０）であり、室温では固体状態でかつそれより高い所定の温度では柔軟な状態になる材料であり、そのディスクの上面（２１）がキーカップ（４０）内側の底面（４１）の非平坦表面と相補関係にある形状のディスク（２０）によって達成できる。
【００２０】
安定化ディスク（２０）の成形前の物質（前駆体）は、ディスク状で配置してもよいし、粉状で配置してもよいし、液体状または溶融状態の前駆体をスポイトやディスペンサーなどで滴下して配置してもよく、それらをカップ（４０）内で固体状態にすることで前駆体としても良い。
【００２１】
好ましくは、安定化ディスク（２０）は平らな、特に好ましくは均一に平らな上面と底面を有する前駆体ディスク（１０）から製造される。
【００２２】
成形過程における加圧には本考案のストッパー（７０）を備えたカウンターピース（５０）を使う。カウンターピース（５０）はトーンホール（６１）に挿入できるようにつくられており、このカウンターピース（５０）を使用することにより、成形過程をその場で（in situ）、すなわち管楽器にキーメカニズムが設置された状態のままで行うことが可能になる。カウンターピース（５０）は少なくとも一つの円形の（disk-shaped）部分（５１）を有している。
【００２３】
本考案のカウンターピース（５０）はストッパー（７０）を備えている。本考案のストッパー（７０）とは、安定化ディスク（２０）の成形過程において、安定化ディスク（２０）を所望の厚みに成形できるように、カウンターピース（５０）の第一の円形部分（５１）とキーカップ（４０）の内側の底面（４１）との間に設置されるものを意味する。なお、カウンターピース（５０）の第一の円形部分（５１）とキーカップ（４０）の内側の底面（４１）との間には、第一の円形部分（５１）の断面平面の延長部分とキーカップ（４０）の内側の底面（４１）との間を含む。すなわち、図９に示すように、カウンターピースの円形部分（５１）に凹部や貫通孔がある場合には、凹部や貫通孔にストッパー（７０）を設置してもよいことを意味する。なお、図９のカウンターピース（５０）及びストッパー（７０）には、それぞれに貫通孔が設けてある。
【００２４】
本考案におけるストッパー（７０）は、ストッパーとして機能すればよく、例えば、三角柱、四角柱などの多角柱、あるいは円柱状などの柱状のものや、球状のものなどがあげられるが、これらに限定されるものではない。
【００２５】
本考案におけるストッパー（７０）は、カウンターピース（５０）の第一の円形部分（５１）とキーカップ（４０）の内側の底面（４１）との間に設置されるようにすればよく、ストッパー（７０）は、例えばカウンターピース（５０）の第一の円形部分（５１）上に設置してもよいし、カウンターピース（５０）の第一の円形部分（５１）に凹部（７１）や貫通孔（５４）がある場合には、凹部（７１）や貫通孔（５４）に設置してもよい。また、ディスク材料の過剰分が入り込めるよう、カウンターピース（５０）及びストッパー（７０）には、凹部、貫通孔、溝などが備わっていてもよい。
【００２６】
カウンターピース（５０）の第一の円形部分（５１）とキーカップ（４０）の内側の底面（４１）との間に、所望の厚みの安定化ディスク（２０）に相応する所望の厚みのストッパー（７０）を設置することにより、安定化ディスク（２０）を製造する過程で使用されるカウンターピース（５０）に所定の圧力を加えて前駆体ディスク（１０）を成形する場合、ストッパー（７０）がキーカップ（４０）の内側の底面（４１）あるいはキーカップ（４０）の特定の箇所に当たった時点で加圧作業を止めることができるようになる。これにより、自動的に所望の厚みの安定化ディスク（２０）を製造することができるようになり、機械的に量産することも可能となる。特にネジ状のストッパーは、ネジを回転させることで所望の厚みに簡便に何度も調整することができるため好ましい。
【００２７】
カウンターピース（５０）は少なくとも一つの円形部分（５１）を有している。カウンターピース（５０）はトーンホール（６１）に挿入できるようにつくられており、第一の円形部分（５１）はパッドアセンブリ（３０）とほぼ同じ厚みを持ち、成形過程においてパッドアセンブリ（３０）の代わりとして入れられるよう構成されている。第一の円形部分（５１）の外径はトーンホール（６１）の外径より大きいが、キーカップ（４０）の内径よりは小さい。
【００２８】
カウンターピース（５０）は第二の円形部分（５２）を有してもよい。第二の円形部分（５２）の直径はトーンホール（６１）の内径より小さく、成形および加圧工程においてトーンホール（６１）内にあるカウンターピース（５０）を安定させるよう構成されている。
【００２９】
カウンターピース（５０）の第一の円形部分（５１）は凹部（７１）を有してもよい。凹部（７１）を有することにより、ディスク材料の過剰分を凹部（７１）に排除あるいは誘導することができるようになる。凹部（７１）は、中央部に有してもよいし、それ以外の部分に複数個備えていてもよい。さらに好ましくは貫通孔（５４）を有してもよい。貫通孔（５４）を有することにより、成形中に押し出されたハードワックス等のような、ディスク材料の過剰分を容易に排出することができる。貫通孔（５４）は、中央部に有してもよいし、それ以外の部分に複数個備えていてもよい。また、ディスク材料の過剰分が入り込めるよう、カウンターピース（５０）及びストッパー（７０）には、凹部、貫通孔、溝などが備わっていてもよい。なお、これらの形状は、例えば、三角柱、四角柱などの多角柱、あるいは円柱状などの柱状のものなどがあげられるが、これらに限定されるものではない。
【００３０】
成形後、安定化ディスク（２０）は冷やされ、非柔軟状態な硬質状態になる。中心部分および外周部分や表面にある余分なディスク材料の除去といったいくつかの仕上げ工程を経て、安定化ディスク（２０）はその最終形状になる。この最終形状とは、下面（２２）は平坦もしくはその面積の大部分が平坦で、ストッパー（７０）がカウンターピース（５０）から分離する物体である場合には当該ストッパー（７０）を内部に含んでいてもよく、上面（２１）は、一つの特定のカップ（４０）の内側の底面（４１）の非平坦表面と特に相補関係にあるような非平坦な上面（２１）である形状をいう。
【考案の効果】
【００３１】
以上、説明したように、本考案に係るストッパー（７０）を備えたカウンターピース（５０）を使用することにより、自動的に所望の厚みの安定化ディスク（２０）を製造することができるようになり、より簡便に安定化ディスク（２０）を製造することができるようになる。
【図面の簡単な説明】
【００３２】
【図１】前駆体ディスクの斜視図である。
【図２】安定化ディスクの斜視図である。
【図３】安定化ディスクの側面図である。
【図４】キーパッドアセンブリと安定化ディスクを含むキーカップの断面図である。
【図５】本考案の実施態様の一つに関わるカウンターピースの斜視図である。
【図６】本考案の実施態様の一つに関わるカウンターピースの側面図である。
【図７】本考案の実施態様の一つに関わるカウンターピースの斜視図である。
【図８】本考案の実施態様の一つに関わるカウンターピースの側面図である。
【図９】安定化ディスクの製造工程におけるストッパーを備えたカウンターピースの使用を図示するフルートの断面図である。
【考案を実施するための形態】
【００３３】
以下、本考案の一実施の形態について説明する。実施態様は、例示でありこれらに限定されるものではない。
【００３４】
フルートのキーカップ（４０）に適合する寸法として典型的な大きさの例としては、前駆体ディスク（１０）の直径は１０ｍｍから２０ｍｍであり、厚さは１ｍｍから２．５ｍｍ、あるいはトーンホール（６１）のタイプおよび／又は楽器によって厚さはそれ以上となり、例えば４ｍｍから５ｍｍである。
【００３５】
特許文献１の好ましい実施形態の一つによる安定化ディスク（２０）の製造工程によって、図２に示される安定化ディスク（２０）が得られる。このディスク（２０）は非平坦で特に回転非対称な上面（２１）を有し、この上面（２１）は楽器のキーカップ（４０）内の底面（４１）の非平坦表面とぴったり合うような形状に作られている。安定化ディスク（２０）の下面（２２）は平面構造である。安定化ディスク（２０）の形状の異なる二つの面（２１）と（２２）は、図３に図示されている。図３に示す上面（２１）の不均質性は説明のために誇張したものとなっている。
【００３６】
図４は、パッドアセンブリ（３０）とキーカップ（４０）の内側の底面（４１）との間にある安定化ディスク（２０）の配置を模式的に示したものである。ここに示す例はクローズドキーカップを図示している。もちろん、本発明は、中央開口部を有し操作時には奏者の指がカップ（４０）の中央開口部を塞ぐリングキーカップにも適用される。この図が示す通り、安定化ディスク（２０）の非平坦上面（２１）はカップ（４０）の内側の底面（４１）の個々の非平坦表面にぴったりと合致している。この場合もまた、この図の示すカップ（４０）内の底面（４１）の不均質性は、説明の為に誇張したものとなっている。
【００３７】
典型的には樹脂フィルム又はある種の動物の皮で覆われたリング状のフェルトからなるパッドアセンブリ（３０）を、平らな下面（２２）に当て、座金（４２）とカップ（４０）の中央に配置されたナット（図示せず）にネジ（４３）をねじ込むことによりカップ（４０）に固定する。パッドアセンブリ（３０）の下側は、キーメカニズムを経由して奏者が管楽器を操作する際に、そのトーンホール（６１）を気密にぴったりと閉口するように構成されている。
【００３８】
カウンターピース（５０）は少なくとも一つの円形部分（５１）を有している。カウンターピース（５０）はトーンホール（６１）に挿入できるようにつくられており、第一の円形部分（５１）はパッドアセンブリ（３０）とほぼ同じ厚みを持ち、成形過程においてパッドアセンブリ（３０）の代わりとして入れられるよう構成されている。第一の円形部分（５１）の外径はトーンホール（６１）の外径より大きいが、キーカップ（４０）の内径よりは小さい。
【００３９】
本考案のカウンターピース（５０）はストッパー（７０）を備えている。本考案のストッパー（７０）とは、安定化ディスク（２０）の成形過程において、安定化ディスク（２０）を所望の厚みに成形できるように、カウンターピース（５０）の第一の円形部分（５１）とキーカップ（４０）の内側の底面（４１）との間に設置されるものを意味する。なお、カウンターピース（５０）の第一の円形部分（５１）とキーカップ（４０）の内側の底面（４１）との間には、第一の円形部分（５１）の断面平面の延長部分とキーカップ（４０）の内側の底面（４１）との間を含む。第一の円形部分（５１）の断面平面の延長部分とは、すなわち、図９に示すように、カウンターピース（５０）の第一の円形部分（５１）に凹部や貫通孔（５４）がある場合には、凹部や貫通孔（５４）にストッパー（７０）を設置してもよいことを意味する。なお、図９のカウンターピース（５０）及びストッパー（７０）には、それぞれに貫通孔が設けてある。
【００４０】
本考案におけるストッパー（７０）は、ストッパーとして機能すればよく、例えば、三角柱、四角柱などの多角柱、あるいは円柱状などの柱状のものや、球状のもの、あるいはネジ状のものなどがあげられるが、これらに限定されるものではない。
【００４１】
カウンターピース（５０）は第二の円形部分（５２）を有してもよい。第二の円形部分（５２）の直径はトーンホール（６１）の内径より小さく、成形および加圧工程においてトーンホール（６１）内にあるカウンターピース（５０）を安定させるよう構成されている。
【００４２】
カウンターピース（５０）は凹部（７１）を有してもよい。凹部（７１）を有することにより、ディスク材料の過剰分を凹部（７１）に排除あるいは誘導することができるようになる。凹部（７１）は、中央部に有してもよいし、それ以外の部分に複数個備えていてもよい。さらに好ましくは貫通孔（５４）を有してもよい。貫通孔（５４）を有することにより、成形中に押し出されたハードワックス等のような、ディスク材料の過剰分を容易に排出することができる。貫通孔（５４）は、中央部に有してもよいし、それ以外の部分に複数個備えていてもよい。なお、これらの形状は、例えば、三角柱、四角柱などの多角柱、あるいは円柱状などの柱状のものなどがあげられるが、これらに限定されるものではない。
【００４３】
成形後、安定化ディスク（２０）は冷やされ、非柔軟状態な硬質状態になる。中心部分および外周部分や表面にある余分なディスク材料の除去といったいくつかの仕上げ工程を経て、安定化ディスク（２０）はその最終形状になる。この最終形状とは、下面（２２）は平坦もしくはその面積の大部分が平坦で、ストッパー（７０）がカウンターピース（５０）から分離する物体である場合には当該ストッパー（７０）を内部に含んでいてもよく、上面（２１）は、一つの特定のカップ（４０）の内側の底面（４１）の非平坦表面と特に相補関係にあるような非平坦な上面（２１）である形状をいう。
【００４４】
図５及び図６に実施形態の１つを示す。カウンターピース（５０）は一つの円形部分（５１）を有している。カウンターピース（５０）はトーンホール（６１）に挿入できるようにつくられており、第一の円形部分（５１）はパッドアセンブリ（３０）とほぼ同じ厚みを持ち、成形過程においてパッドアセンブリ（３０）の代わりとして入れられるよう構成されている。第一の円形部分（５１）の外径はトーンホール（６１）の外径より大きいが、キーカップ（４０）の内径よりは小さい。
【００４５】
本考案のカウンターピース（５０）はストッパー（７０）を備えている。本考案のストッパー（７０）とは、安定化ディスク（２０）の成形過程において、安定化ディスク（２０）を所望の厚みに成形できるように、カウンターピース（５０）の第一の円形部分（５１）とキーカップ（４０）の内側の底面（４１）との間に設置されるものを意味する。なお、カウンターピース（５０）の第一の円形部分（５１）とキーカップ（４０）の内側の底面（４１）との間には、第一の円形部分（５１）の断面平面の延長部分とキーカップ（４０）の内側の底面（４１）との間を含む。第一の円形部分（５１）の断面平面の延長部分とは、すなわち、図９に示すように、カウンターピース（５０）の第一の円形部分（５１）に凹部や貫通孔（５４）がある場合には、凹部や貫通孔（５４）にストッパー（７０）を設置してもよいことを意味する。なお、図９のカウンターピース（５０）及びストッパー（７０）には、それぞれに貫通孔が設けてある。
【００４６】
図５及び図６の実施形態では、カウンターピース（５０）は凹部（７１）を有している。凹部（７１）を有することにより、ディスク材料の過剰分を凹部（７１）に排除あるいは誘導することができるようになる。なお、作業の利便性を考慮して、取手（８０）等を備えてもよい。
【００４７】
図７及び図８に実施形態の１つを示す。図７及び図８のカウンターピース（５０）は第一、第二、及び第三の円形部分（５１）−（５３）を有している。カウンターピース（５０）はトーンホール（６１）に挿入できるようにつくられており、第一の円形部分（５１）はパッドアセンブリ（３０）とほぼ同じ厚みを持ち、成形過程においてパッドアセンブリ（３０）の代わりとして入れられるよう構成されている。第一の円形部分（５１）の外径はトーンホール（６１）の外径より大きいが、キーカップ（４０）の内径よりは小さい。
【００４８】
図７及び図８の実施形態のカウンターピース（５０）はストッパー（７０）を備えている。本考案のストッパー（７０）とは、安定化ディスク（２０）の成形過程において、安定化ディスク（２０）を所望の厚みに成形できるように、カウンターピース（５０）の第一の円形部分（５１）とキーカップ（４０）の内側の底面（４１）との間に設置されるものを意味する。なお、カウンターピース（５０）の第一の円形部分（５１）とキーカップ（４０）の内側の底面（４１）との間には、第一の円形部分（５１）の断面平面の延長部分とキーカップ（４０）の内側の底面（４１）との間を含む。第一の円形部分（５１）の断面平面の延長部分とは、すなわち、図９に示すように、カウンターピース（５０）の第一の円形部分（５１）に凹部や貫通孔（５４）がある場合には、凹部や貫通孔（５４）にストッパー（７０）を設置してもよいことを意味する。なお、図９のカウンターピース（５０）及びストッパー（７０）には、それぞれに貫通孔が設けてある。
図７及び図８の実施形態ではストッパー（７０）としてネジ状のストッパーを用いている。特にネジ状のストッパーは、ネジを回転させることで所望の厚みに簡便に何度も調整することができるため好ましい。
【００４９】
図７及び図８に示すように第三の円形の部分（５３）を有してもよい。第三の円形部分（５３）は、任意でカウンターピース（５０）に設けられていてもよいものだが、（ａ）カウンターピース（５０）を握り易くするために任意に付加された部分としての機能、および（ｂ）成形過程において押し出された過剰のディスク材料（例えばワックス）を排出するための吐出口として機能する。
【００５０】
図７及び図８の実施形態では、カウンターピース（５０）は、第一、任意で付けられた第二、及び第三の円形の部分（５１）−（５３）のそれぞれを連通して貫通している孔（貫通孔（５４））を有している。貫通孔（５４）を有することにより、成形中に押し出されたハードワックス等のような、ディスク材料の過剰分を容易に排出することができる。
【００５１】
本考案のいずれかのカウンターピース（５０）は次のようにして使用される。室温で固体状態であり、より高い所定の温度では柔軟な状態になるディスク状の前駆体、あるいは粉状、液体状、その他の形状を含む材料をキーカップ（４０）内で固体状態にした前駆体、例えばディスク状の前駆体ディスク（１０）をキーカップ（４０）内に入れること、その際、離型材料、好ましくは薄膜である離型材料がキーカップ底面（４１）と前駆体ディスク（１０）の上面の間に存在してもよい；
管楽器のトーンホール（６１）内にカウンターピース（５０）を入れること、その際、前駆体ディスク（１０）の
下面とカウンターピース（５０）の間に熱伝達を遅らせるための薄膜が存在してもよく、および／
又は前駆体ディスク（１０）の下面とカウンターピース（５０）の上面の間に離型材料、好ましくは薄膜で
ある離型材料が存在してもよい；
トーンホール（６１）とキーカップ（４０）の間にカウンターピース（５０）を入れたまま、キーカップ（４０）でトーン
ホール（６１）を閉じること；
ディスク材料が柔軟な状態になる所定のより高い温度に前駆体ディスク（１０）を熱すること；
キーカップ（４０）をトーンホール（６１）に押しつけ、それにより前駆体ディスク（１０）を安定化ディスク（２０）の形状に矯正する（reforming）こと、その際、カウンターピース（５０）に備えたストッパー（７０）がキーカップ（４０）の内側の底面（４１）あるいはキーカップ（４０）の特定の箇所に当たった時点で加圧作業を止める。これにより、自動的に所望の厚みの安定化ディスク（２０）を製造することができるようになり、機械的に量産することも可能となる。特にネジ状のストッパーは、ネジを回転させることで所望の厚みに簡便に何度も調整することができるため好ましい。；
安定化ディスク（２０）を前記の所定のより高い温度よりも低い、ディスク材料が固体状態になる温度に冷やすこと。
【００５２】
カウンターピース（５０）は、どのような材料からでも製造することができる。これらの材料の例として、金属、合金、セラミック、複合セラミックス、ガラス、黒鉛、複合黒鉛、炭素繊維複合材料、プラスチック、複合プラスチック、または熱硬化性樹脂材料等が挙げられるが、これらに限定されるものではない。これらの硬質材料としてのプラスチック材の具体的な例としては、ポリカーボネート、ポリメタクリル酸メチル、ポリオキシメチレンアセタール、４−メチル−１−ペンテン重合体もしくは共重合体等が挙げられるが、これらに限定されない。
カウンターピース（５０）側から熱が加えられる場合、カウンターピース（５０）を通して前駆体ディスク（１０）の全体に十分に熱が伝わるよう、カウンターピース（５０）の熱伝導性は良好である事が望ましい。この前駆体ディスク（１０）は、最終的には、キーカップ（４０）の内側の底面（４１）の非平坦表面と特に相補関係にあるような非平坦な上面（２１）をもつ安定化ディスク（２０）へと変形される。
【００５３】
カップ（４０）側から熱が加えられる場合には、カウンターピース（５０）の熱伝導性は論じる必要はないが、カウンターピース（５０）は、カップ（４０）の内側の底面（４１）の非平坦面と特に相補関係になるように安定化ディスク（２０）の上面（２１）の表面構造を形成できるよう前駆体ディスク（１０）にカップ（４０）側から加えられた熱の分布に悪影響を及ぼさないような上記に例示した材料から作られたものであることが望ましい。
【００５４】
図９のフルート本体（６０）の断面図が示すように、第一の円形の部分（５１）の直径はフルート（６０）のトーンホール（６１）の直径よりも大きい。一方で、第二の円形の部分（５２）を有する場合、カウンターピース（５０）がトーンホール（６１）にきちんとはまるように、第二の円形の部分（５２）の直径はトーンホール（６１）の内径よりも小さくなっている。
【００５５】
また、図９の断面図にも見られるように、第一の円形の部分（５１）の直径はカップ（４０）の内径よりわずかに小さく、これにより図４に示す加圧および成形作業においてカウンターピース（５０）の上面が安定化ディスク（２０）の下面（２２）を押し付けることになる。典型的な例としては、フルートのカップ（４０）の内径は第一の円形部分（５１）の直径より約１．５ｍｍから２ｍｍ大きく、更に第一の円形部分（５１）はトーンホール（６１）の直径より約１．５ｍｍから２ｍｍ大きい。
【００５６】
第一の円形の部分（５１）の厚さはパッドアセンブリ（３０）の厚さとほぼ同じである。これは、パッドアセンブリ（３０）がカウンターピース（５０）に代わって装着されているとき、成形過程において、実際に管楽器を使用しているときと同じ傾斜角でカウンターピース（５０）の上にカップ（４０）が置かれていることを保証する上で重要である。実際、カップ（４０）が楽器を実際に使用しているときと同じ高さに置かれるということにより、この特定のカップ（４０）の、場合によっては歪んで存在するキーカップメカニズムの傾斜角が成形過程において完全に象られることになる。こうすることで、一つの特定のキーカップ（４０）の機能的仕組み（mechanics）に適合するよう最適な形に形成された安定化ディスク（２０）が製造される。しかしながら、楽器奏者の好みに応じて、第一の円形部分（５１）の厚さはパッドアセンブリ（３０）の厚さよりもわずかに薄くても、あるいはわずかに厚くても良い。このように図９に示すように所望の厚みの安定化ディスク（２０）を製造する場合に、所望の厚みの安定化ディスク（２０）に相応する所望の厚みのストッパー（７０）を設置することにより、安定化ディスク（２０）を製造する過程で使用されるカウンターピース（５０）に所定の圧力を加えて前駆体ディスク（１０）を成形する場合、ストッパー（７０）がキーカップ（４０）の内側の底面（４１）あるいはキーカップ（４０）の特定の箇所に当たった時点で加圧作業を止めることできるようになる。これにより、自動的に所望の厚みの安定化ディスク（２０）を製造することができるようになり、機械的に量産することも可能となる。特にネジ状のストッパーは、ネジを回転させることで所望の厚みに簡便に何度も調整することができるため好ましい。
【００５７】
本考案の上述の諸実施態様においては、フルート（６０）を管楽器の一例として使用している。しかしながら、本考案は決してこれに限定されるものではなく、楽器奏者が演奏する際にトーンホール（６１）が開閉することを利用したどのような管楽器にも適用できるものであり、そのような楽器の例としては、ピッコロ、クラリネット、オーボエ、ファゴット、サクソフォーン等が含まれる。
【００５８】
本考案における音楽用管楽器の材料が限定されないことについても言及しておく。この考案は、プラスチック、木、熱硬化性樹脂又はその複合材料、アルミニウム又はその合金、銀又はその合金、金またはその合金、黄銅又はその他のあらゆる金属材料等如何なる材料から作られた楽器にも適用できる。
【産業上の利用可能性】
【００５９】
本考案は、音楽用管楽器を製造する産業で利用される。
【符号の説明】
【００６０】
１０    前駆体ディスク
１１    貫通孔
２０    安定化ディスク
２１    安定化ディスクの上面
２２    安定化ディスクの下面
３０    パッドアッセンブリ
４０    キーカップ
４１    キーカップの内側の底面
４２    座金
４３    ネジ
５０    カウンターピース
５１    カウンターピースの第一の円形の部分
５２    カウンターピースの第二の円形の部分
５３    カウンターピースの第三の円形の部分
５４    貫通孔
６０    フルート
６１    トーンホール
７０    ストッパー
７１    ストッパーの凹部
８０    取手
【図１】
0003203951.tif 000003
【図２】
0003203951.tif 000004
【図３】
0003203951.tif 000005
【図４】
0003203951.tif 000006
【図５】
0003203951.tif 000007
【図６】
0003203951.tif 000008
【図７】
0003203951.tif 000009
【図８】
0003203951.tif 000010
【図９】
0003203951.tif 000011